(57)【特許請求の範囲】
【請求項１】
落とし込み管路に、同じ注湯電磁弁を複数個備えている風呂給湯器において、風呂往き管路または風呂戻り管路のどちらか一方に水の循環を検出する風呂入水流スイッチを設け、落とし込み管路の注湯電磁弁を個々に動作させ、風呂入水流スイッチのオン・オフの状態により、動作した注湯電磁弁の接続位置を認識することを特徴とする風呂給湯器。
【請求項２】
落とし込み管路に、同じ注湯電磁弁を複数個備えている風呂給湯器において、個々の注湯電磁弁に対応して水量センサを設け、注湯電磁弁に所定の動作をさせて各水量センサの出力を比較し、その時出力されている水量センサが動作している注湯電磁弁に接続されていると判定することを特徴とする風呂給湯器。
【請求項３】
コントローラの制御を行う出力ポート及びその被制御対象との関連や検出を行う入力ポートを有して被検出対象との関係を記憶する入出力接続状態記憶手段と、入出力接続状態記憶手段の内容を変更する入出力接続状態変更手段とを備え、注湯電磁弁が誤接続されたと判定すると、入出力接続状態変更手段により注湯電磁弁の接続状態の関係を変更することを特徴とする請求項１または２記載の風呂給湯器。
【発明の詳細な説明】
【０００１】
【産業上の利用分野】
本発明は、落とし込み流量を増大させるために複数の注湯電磁弁を備えた風呂給湯器に関する。
【０００２】
【従来の技術】
従来、給湯機能、風呂への落とし込み機能及び追焚機能を備えた風呂給湯器が知られており、その構成の一例を図２に示すと、風呂用加熱装置１と給湯用加熱装置２とを備え、風呂用加熱装置１は、風呂用熱交換器３と、該風呂用熱交換器３の入口側に接続された風呂戻り管４と、該風呂戻り管４に設けられた循環ポンプ５と、風呂用熱交換器３の出口側に接続された風呂往き管７と、バーナ８とを備えている。
風呂戻り管４には、循環ポンプ５の上流側に風呂入水温センサ２４が、循環ポンプ５の下流側に風呂入水流スイッチ２５及び風呂温度センサ２６が設けられている。
また、給湯用加熱装置２は、給湯用熱交換器１５と、該給湯用熱交換器１５の入口側に接続された給水管１６と、該給水管１６に設けられた給水量センサ１７と、上記給湯用熱交換器１５の出口側に接続された出湯管１８と、出湯管１８に設けられた出湯弁１９と、給水管１６と出湯管１８を連通させるバイパス路２０と、該バイパス路２０に設けられたバイパス弁２１と、バーナ２２と、ガス管２３とを備えている。
さらに、出湯管１８に一端が接続された落とし込み管９の他端を、上記循環ポンプ５の水室部に連通させるとともに、落とし込み管９に配設された逆止弁１０と、落とし込み弁１１と、真空破壊弁１２と、落とし込み量センサ１３と、落とし込み管９の保温ヒータ１４と、落とし込み湯温センサ２７とを備えている。
【０００３】
動作について説明する。
落とし込み運転時には、落とし込み弁１１を開き、循環ポンプ５を駆動して浴槽への落とし込み運転を開始すると、給湯用加熱装置２で加熱された湯が、落とし込み管９から、逆止弁１０、落とし込み量センサ１３を経て循環ポンプ５に流入し、風呂戻り管４から風呂用熱交換器３に流入して風呂往き管７から浴槽に供給される。
循環加熱時には、落とし込み弁１１が閉じられ、循環ポンプ５が駆動されて湯が風呂戻り管４から風呂用熱交換器３に流入して風呂往き管７から浴槽に供給される。
【０００４】
【発明が解決しようとする課題】
しかしながら、従来の給湯器においては、落とし込み流量が少なく、落とし込み完了までに時間がかかるという問題があった。
この問題を解決するために、落とし込み路を２本設けて落とし込み流量を増大させたものもあるが、２本の落とし込み路にそれぞれ設けられた２個の落とし込み電磁弁がそれぞれ独立して制御されているから、組立時には電装の接続に注意しなくてはならない、即ち個々の落とし込み電磁弁と、それに対応する落とし込み量センサ等の制御装置とを間違いなく接続しなくてはならないという問題があった。
コネクタ形状やコネクタ番号で識別することは可能であるが、このような場合には同じ注湯電磁弁セットとしては同じものでありながら、コネクタ番号だけが異なるという新規部品を必要とし、煩雑になるという問題があった。
また、製品の出荷時には取決めによって電装の結束や取りまわしを工夫することで誤接続を防止できるとともに、ライン検査で誤接続の判定が可能であるが、保守作業時の部品交換においては、必ずしも一個ずつ取り外して組み立てる訳ではないから、誤接続する可能性があり、誤接続した場合にもその時の制御状況では正しいと判定され、後に誤接続による不具合を生じるという問題があった。
さらに、２本の落とし込み路にそれぞれ２個の落とし込み電磁弁を備えている給湯器において落とし込み運転を行う際は、他の給湯栓を閉じている等の十分な水圧を確保している場合、２本の落とし込み路から同時に給湯されるが、他の給湯栓を開く等して流量（水圧）が低下した場合には、一方の落とし込み路（通常は風呂戻り管側）のみから給湯されるが、誤接続があると逆の落とし込み路（風呂往き管）から給湯されることになり、循環ポンプ側への落とし込みが少ないため、循環ポンプがエア噛みを生じる恐れがあるという問題があった。
【０００５】
本発明の目的は、落とし込み流路に複数の落とし込み電磁弁を備えた風呂給湯器において、落とし込み電磁弁が誤接続された場合でも、自動的に判別し、そのままで使用可能にすることのできる風呂給湯器を提供することである。
【０００６】
【課題を解決するための手段】
上記目的を達成するために本発明の風呂給湯器は、落とし込み管路に、同じ注湯電磁弁を複数個備えている風呂給湯器において、風呂往き管路または風呂戻り管路のどちらか一方に水の循環を検出する風呂入水流スイッチを設け、落とし込み管路の注湯電磁弁を個々に動作させ、風呂入水流スイッチのオン・オフにより、動作した注湯電磁弁の接続位置を認識することにより、落とし込み弁の電装が、風呂往き管側と風呂戻り管側とで間違った場合でも問題なく使用することができる。
また、アフターサービス時だけでなく、組立時の誤接続の問題も容易に解消することができ、新規部品を作る必要性や、特別な電装の取り回しも必要なくなるものである。
なお、落とし込み管路に、同じ注湯電磁弁を複数個備えている風呂給湯器において、個々の注湯電磁弁に対応して複数の水量センサを設け、注湯電磁弁に所定の動作をさせて各水量センサの出力を比較し、その時出力されている水量センサが動作している注湯電磁弁に接続されていると判定することにより、２個の落とし込み量センサが風呂往き管側と風呂戻り管側とで、組立時に設計段階と異なる逆の接続をされた場合でも問題なく使用することができる。
また、アフターサービス時だけでなく、組立時の誤接続の問題も容易に解消することができ、新規部品を作る必要性や、特別な電装の取り回しも必要なくなるものである。
さらに、コントローラの制御を行う出力ポート及びその被制御対象との関連や検出を行う入力ポートを有して被検出対象との関係を記憶する入出力接続状態記憶手段と、入出力接続状態記憶手段の内容を変更する入出力接続状態変更手段とを備え、注湯電磁弁が誤接続されたと判定すると、入出力接続状態変更手段により注湯電磁弁の接続状態の関係を変更することにより、接続状態を入れ替えるように指示したりするようにすれば、誤接続の状態を確実に、しかも自動的に解消することができる。
【０００７】
【発明の実施の形態】
図１を参照して実施例を説明すると、風呂用加熱装置１と給湯用加熱装置２とを備え、風呂用加熱装置１は、風呂用熱交換器３と、該風呂用熱交換器３の入口側に接続された風呂戻り管４と、該風呂戻り管４に設けられた循環ポンプ５と、風呂用熱交換器３の出口側に接続された風呂往き管７と、バーナ８とを備えており、風呂戻り管４には、循環ポンプ５の上流側に風呂入水温センサ２４が、循環ポンプ５の下流側に風呂入水流スイッチ２５及び風呂温度センサ２６が設けられている。
【０００８】
給湯用加熱装置２は、給湯用熱交換器１５と、該給湯用熱交換器１５の入口側に接続された給水管１６と、該給水管１６に設けられた給水量センサ１７と、上記給湯用熱交換器１５の出口側に接続された出湯管１８と、出湯管１８に設けられた出湯弁１９と、給水管１６と出湯管１８を連通させるバイパス路２０と、該バイパス路２０に設けられたバイパス弁２１と、バーナ２２と、ガス管２３とを備えている。
【０００９】
出湯管１８に一端が接続された第１落とし込み管９の他端を、上記循環ポンプ５の水室部に連通させるとともに、第１落とし込み管９に配設された第１逆止弁１０と、第１落とし込み弁（注湯電磁弁）１１と、第１真空破壊弁１２と、第１落とし込み量センサ（水量センサ）１３と、第１落とし込み管９の保温ヒータ１４と、第１落とし込み湯温センサ２７とを備えている。
また風呂往き管７と上記第１落とし込み管９とに両端が接続開放された第２落とし込み管９１には、第２逆止弁９２と、第２落とし込み量センサ（水量センサ）９６と、第２落とし込み湯温センサ９３と、第２落とし込み弁（注湯電磁弁）９４と、第２真空破壊弁９５と、第２落とし込み管９１の保温ヒータ９７とを備えている。
【００１０】
動作について説明する。
落とし込み運転時には、電源がオンされてから最初にどちらか一方の落とし込み弁のみを開いて通水して運転させ、この時風呂水量スイッチのオン・オフ状態により、開いている落とし込み弁が正常に接続されていると判定する。
一方、風呂水量スイッチが対応した状態でない場合は、落とし込み弁が誤接続されたものと判定し、その旨遠隔操作部（図示略）に設けた表示スクリーン等に表示するとともに、落とし込み運転中はこの落とし込み弁を閉じて、他方の落とし込み弁のみを開いて落とし込み運転を行い、正常に接続し直されたことを確認してから、両方の落とし込み弁を開いての落とし込み運転を可能とするものである。
【００１１】
詳述すると、電源スイッチ（図示略）が投入されて電源がオンとなってから、最初の落とし込み運転時に、図示しない制御装置において、一方の落とし込み弁のみを開き、浴槽への落とし込み運転を開始する指令信号を出力する。
この指令信号により、第１落とし込み弁１１のみを開き、浴槽への落とし込み運転を開始した場合、給湯用加熱装置２で加熱された湯が、第１落とし込み管９から、逆止弁１０、第１落とし込み量センサ１３を経て循環ポンプ５に流入し、風呂戻り管４から風呂用熱交換器３に流入して風呂往き管７から浴槽に供給される落とし込み流路と、風呂戻り管４から浴槽に供給される落とし込み流路とが形成され、第１落とし込み量センサ１３が落とし込み流量を検出するとともに、風呂入水流スイッチ２５が落とし込み水量を検出してオンする。
このように風呂入水流スイッチ２５がオンした場合は、第１落とし込み弁１１が正常に接続されたものと判定する。
【００１２】
一方、上記指令信号により、第１落とし込み弁１１を開かずに誤接続された第２落とし込み管９１の第２落とし込み弁９４のみを開いた場合は、落とし込みの湯は第２落とし込み管９１より風呂往き管７のみから浴槽に供給されるから、循環ポンプ５のある風呂往き管４には湯が流れず、風呂入水流スイッチ２５がオンしない。
したがって、風呂入水流スイッチ２５のオン信号が検知できない場合は、制御装置と落とし込み弁とが誤接続されていると判定するものである。
【００１３】
次に、循環加熱時には、第１落とし込み弁１１及び第２落とし込み弁９４が閉じられ、循環ポンプ５が駆動されて、湯が浴槽から風呂戻り管４を経て風呂用熱交換器３に流入して風呂往き管７から浴槽に供給される。
【００１４】
この構成により、落とし込み弁の電装が、風呂往き管側と風呂戻り管側とで間違った場合でも誤接続を確実に判断できる。
また、この方法により、アフターサービス時だけでなく、組立時の誤接続の問題も容易に解消することができ、コネクタ番号を変えたりする必要が無いため、新規部品を作る必要性や、特別な電装の取り回しも必要なくなるものである。
【００１５】
異なる実施例について説明すると、電源がオンされてから最初の落とし込み給湯を開始する時に、風呂戻り管４側の第１落とし込み弁１１のみを開き、検出信号を出力した方のセンサが第１落とし込み量センサ１３であると判定し、他のセンサを第２落とし込み量センサ９６として認識するものである。
なお、最初の落とし込み給湯を開始する時に、風呂往き管７側の第２落とし込み弁９４のみを開き、検出信号を出力した方のセンサが第２落とし込み量センサ９６であると判定し、他のセンサを第１落とし込み量センサ１３として認識しても良いものである。
【００１６】
この構成により、２個の落とし込み量センサが風呂往き管側と風呂戻り管側とで、組立時に設計段階と異なる逆の接続をされた場合でも確実に接続状態を判別する。
【００１７】
上述の動作において、落とし込み弁（注湯電磁弁）１１、９４の誤接続と判断された場合には、その旨あるいはエラーコード等により知らせて、これらのコネクタ等による接続状態を入れ替えるように指示したりするようにすれば、誤接続の状態を解消することができる。
また、このような誤接続と判断された場合には、自動的に接続状態を変更して以後の給湯制御をして係員の手間を省くようにしても良い。
【００１８】
具体的には、風呂給湯器を制御するコントローラ１００は、入出力接続状態記憶手段１０１、入出力接続状態変更手段１０２を有しており、入出力接続状態記憶手段１０１は、コントローラの制御を行う出力ポートと、その制御対象或いは被制御対象との関連や検出を行う入力ポートとを備え、その被検出対象との関係を記憶するものであり、入出力接続状態変更手段１０２は、入出力接続状態記憶手段１０１の内容を変更するものである。
例えば通常出力ポートＡ１には第１落とし込み弁１１、出力ポートＡ２には第２落とし込み弁９４が接続されているとする状態で、上述の注湯電磁弁の接続状態のチェック動作において誤接続であると判断された場合には、入出力接続状態変更手段１０２が、出力ポートＡ１の接続先が第２落とし込み弁９４であり、出力ポートＡ２の接続先が第１落とし込み弁１１であるというように接続状態を切り替え、それに対応して出力ポートＡ１、Ａ２から各々の制御出力を出力する。
【００１９】
また例えば、通常入力ポートＢ１には第１落とし込み量センサ１３の検出出力が入力され、入力ポートＢ２には第２落とし込み量センサ９６の検出出力が入力されるとする状態で、上述の水量センサ１３、９６の接続状態のチェック動作において誤接続であると判断された場合には、入出力接続状態変更手段１０２が、入力ポートＢ１の接続先が第２落とし込み量センサ９６であり、入力ポートＢ２の接続先が第１落とし込み量センサ１３であるというように接続状態を切り替えて、それに対応した水量センサの検出出力が入力される。
そして、このように自動的に入出力の接続状態を変更した場合には、再度上述の接続状態のチェック動作を行って確認を行えば、確実に確認及び修正でき、望ましいものである。
また、この方法により、アフターサービス時だけでなく、組立時の誤接続の問題も容易に解消することができ、誤接続の場合の接続のやり直しの手間や、新規部品を作る必要性や、特別な電装の取り回しも必要なくなるものである。
【００２０】
【発明の効果】
本発明は、上述のとおり構成されているから、次のような効果を奏する。
落とし込み管路に、同じ注湯電磁弁を複数個備えている風呂給湯器において、風呂往き管路または風呂戻り管路のどちらか一方に水の循環を検出する風呂入水流スイッチを設け、落とし込み管路の注湯電磁弁を個々に動作させ、風呂入水流スイッチのオン・オフにより、動作した注湯電磁弁の接続位置を認識することにより、落とし込み弁の電装が、風呂往き管側と風呂戻り管側とで間違った場合でも問題なく使用することができる。
また、アフターサービス時だけでなく、組立時の誤接続の問題も容易に解消することができ、新規部品を作る必要性や、特別な電装の取り回しも必要なくなるものである。
なお、落とし込み管路に、同じ注湯電磁弁を複数個備えている風呂給湯器において、個々の注湯電磁弁に対応して複数の水量センサを設け、注湯電磁弁に所定の動作をさせて各水量センサの出力を比較し、その時出力されている水量センサが動作している注湯電磁弁に接続されていると判定することにより、２個の落とし込み量センサが風呂往き管側と風呂戻り管側とで、組立時に設計段階と異なる逆の接続をされた場合でも問題なく使用することができる。
また、アフターサービス時だけでなく、組立時の誤接続の問題も容易に解消することができ、新規部品を作る必要性や、特別な電装の取り回しも必要なくなるものである。
さらに、コントローラの制御を行う出力ポート及びその被制御対象との関連や検出を行う入力ポートを有して被検出対象との関係を記憶する入出力接続状態記憶手段と、入出力接続状態記憶手段の内容を変更する入出力接続状態変更手段とを備え、注湯電磁弁が誤接続されたと判定すると、入出力接続状態変更手段により注湯電磁弁の接続を自動的に変更することにより、接続状態を入れ替えるように指示したりするようにすれば、誤接続の状態を確実に解消することができる。
【図面の簡単な説明】
【図１】本発明を適用する風呂給湯器の概略構成図である。
【図２】従来の風呂給湯器の概略構成図である。
【符号の説明】
１  風呂用加熱装置、２  給湯用加熱装置、３  風呂用熱交換器
４  風呂戻り管、５  循環ポンプ、７  風呂往き管、８  バーナ
９  第１落とし込み管、１０  第１逆止弁
１１  第１落とし込み弁（注湯電磁弁）、１２  第１真空破壊弁
１３  第１落とし込み量センサ（水量センサ）、１５  給湯用熱交換器
１６  給水管、１８  出湯管、１９  出湯弁、２０  バイパス路
２１  バイパス弁、２４  風呂入水温センサ、２５  風呂入水流スイッチ
２６  風呂温度センサ、２７  第１落とし込み湯温センサ
９１  第２落とし込み管、９２  第２逆止弁
９３  第２落とし込み湯温センサ
９４  第２落とし込み弁（注湯電磁弁）、９５  第２真空破壊弁
９６  第２落とし込み量センサ（水量センサ）
１００  コントローラ、１０１  入出力接続状態記憶手段
１０２  入出力接続状態変更手段
【図１】
0003613583.tif 000002
【図２】
0003613583.tif 000003